(57)【要約】【課題】本発明は、電子機器の小型化及び薄型化に対応しながら利便性及び安全性が高く、用途の拡張にも対応することができる電子カードを提供することを目的とする。【解決手段】本発明の電子カードは、厚みが厚い第１本体部と厚みが薄い第２本体部とにより構成された電子カードであって、前記第１本体部が、データが格納される半導体メモリと、前記半導体メモリを実装する基板と、前記基板を設けられ、前記半導体メモリと外部機器とを電気的に接続する端子とを有し、前記第２本体部が少なくとも貫通孔を有している。【選択図】        図１
2004310685.tif 000002
【特許請求の範囲】
【請求項１】
第１本体部と前記第１本体部より厚みが薄い第２本体部とを有して構成された電子カードであって、
前記第１本体部が、データが格納される半導体メモリと、
前記半導体メモリを実装する基板と、
前記基板に設けられ、前記半導体メモリと外部機器とを電気的に接続する端子とを有し、
前記第２本体部が少なくとも貫通孔を有することを特徴とする電子カード。
【請求項２】
第２本体部に、少なくとも１つの穿孔可能な任意孔を設けた請求項１に記載の電子カード。
【請求項３】
任意孔は、第２本体部と一体的に薄肉成形された凹部で構成された請求項２に記載の電子カード。
【請求項４】
任意孔は、第２本体部に設けた貫通した孔に着脱自在な蓋を設けて構成された請求項２に記載の電子カード。
【請求項５】
第２本体部に形成された貫通孔と前記第２本体部の縁との間に導体を配設し、前記導体が半導体メモリを実装した基板上の回路に接続された請求項１乃至４のいずれかに記載の電子カード。
【請求項６】
第１本体部と前記第１本体部より厚みが薄い第２本体部とを有して構成された電子カードを収納する電子カード用ホルダケースであって、
前記第２本体部が収納される溝を有する本体部と、
前記本体部に開閉可能に形成され、前記本体部を閉じたとき前記電子カードの第１本体部が収納される蓋部と、
前記本体部に収納された前記電子カードの第２本体部に形成された貫通孔と係合するロック手段と、
前記ロック手段と前記電子カードの第２本体部の貫通孔との係合を解除するロック解除手段と、
を有することを特徴とする電子カード用ホルダケース。
【請求項７】
電子カードの第２本体部に形成された少なくとも１つの穿孔可能な任意孔の開閉状態を検出することにより収納された電子カードの内容を認知することができるよう構成された請求項６に記載の電子カード用ホルダケース。
【請求項８】
第１本体部と前記第１本体部より厚みが薄い第２本体部とを有して構成された電子カードが装着されてデータの記録又は再生を行う電子カード用駆動装置であって、
前記電子カードが挿入される開口を有する外観形状を有し、前記開口に挿入されて装着された電子カードの第２本体部に形成された貫通孔と係合する排出片と前記排出片に機構的に接続され電子カードの排出時に操作する排出つまみとを有することを特徴とする電子カード用駆動装置。
【発明の詳細な説明】
【０００１】
【発明の属する技術分野】
本発明は、デジタルカメラ等の電子機器に装着される電子カード、及びこの電子カードを用いた機器である電子カード用ホルダケース及び電子カード用駆動装置に関するものである。
【０００２】
【従来の技術】
図８は従来の電子カードの外観を示す図であり、図８における（ａ）は正面図であり、（ｂ）は裏面図であり、（ｃ）は右側面図である。図８に示した電子カード６ａは、その表面側及び裏面側のそれぞれが平面に形成されており、実質的に一定の厚みを有するカード形状を有している。電子カード６ａの裏面側の一端には、複数の端子６ｂが設けられており、電子カード６ａが装着される電子機器に電気的に接続されるよう構成されている。
【０００３】
【特許文献１】
特開２００１−１３４７３０号公報
【０００４】
【発明が解決しようとする課題】
上記のように構成された従来の電子カードおいては、装着される電子機器の小型化及び薄型化の傾向にともない、電子カード自体も小型化及び薄型化が図られている。このように小型化及び薄型化された従来の電子カードにおいてはその使用にあたり以下のような解決すべき課題を有していた。
【０００５】
（１）電子カードは数センチメートル角で厚みが数ミリメートルと大きさが非常に小型で薄型であるため、紛失しやすく、持ち運びにも不便であり、多数の電子カードの整理が困難であるという解決すべき課題を有していた。
（２）電子カードは投影面積である表面積が小さく、ラベル等への書込みが容易でないため、その電子カードにどのような内容が格納されているかを表示することが困難であった。
（３）電子カードの小型化を図っても、電子機器本体側における装着機構や排出機構の構成を変更することが容易ではないため、電子カードの占有空間の削減には限界があった。
（４）電子カードは、機密情報の格納、電子マネーとしての利用等の用途拡大に伴い、情報保全及び盗難や不正使用の防止に対する配慮の必要性が増大している。
（５）さらに、従来の電子カードにおいては、情報の書込み防止を恒久的に行ないたいといった要求に対応できていなかった。
本発明は、上記のような従来の電子カードが抱える多くの課題を解決して、電子機器の小型化及び薄型化に対応しながら利便性及び安全性が高く、用途の拡張にも対応することができる電子カードを提供することを目的としてなされたものである。
【０００６】
【課題を解決するための手段】
本発明の電子カードは、上記の目的を達成するため、
第１本体部と前記第１本体部より厚みが薄い第２本体部とを有して構成されており、
前記第１本体部は、データが格納される半導体メモリと、
前記半導体メモリを実装する基板と、
前記基板に設けられ、前記半導体メモリと外部機器とを電気的に接続する端子とを有しており、
前記第２本体部は少なくとも貫通孔を有している。このように構成された電子カードは、貫通孔を用いて電子カードの収納、整理及び取扱いが容易なものとなる。
【０００７】
また、本発明の電子カードは、第２本体部に、少なくとも１つの穿孔可能な任意孔を設けてもよい。このように構成された電子カードは、任意孔を適宜、穿孔することにより格納されているデータ内容の識別、使用者の認証、書込み規制等の機能を提供できる。
【０００８】
また、本発明の電子カードは、任意孔が、第２本体部と一体的に薄肉成形された凹部で構成してもよい。このように構成された電子カードは、部材を追加することなく不可逆的に穿孔することが可能となる。
【０００９】
また、本発明の電子カードは、任意孔が、第２本体部に設けた貫通した孔に着脱自在な蓋を設けて構成してもよい。このように構成された電子カードは、穿孔の有無を可逆的に選択し得る。
【００１０】
また、本発明の電子カードは、第２本体部に形成された貫通孔と前記第２本体部の縁との間に導体を配設し、前記導体が前記半導体メモリを実装した基板上の回路に接続してもよい。このように構成された電子カードは、貫通孔を利用して保管しているとき、その電子カードを無理に引抜こうとすれば貫通孔の周囲が破損して導体が切断される。このため、導体の断線が回路により検出されて、電子カードの機能を規制し、又は停止することが可能になる。
【００１１】
他の観点の発明の電子カード用ホルダケースは、第１本体部と前記第１本体部より厚みが薄い第２本体部とを有して構成された電子カードを収納する電子カード用ホルダケースであって、
前記第２本体部が収納される溝を有する本体部と、
前記本体部に開閉可能に形成され、前記本体部を閉じたとき前記電子カードの第１本体部が収納される蓋部と、
前記本体部に収納された前記電子カードの第２本体部に形成された貫通孔と係合するロック手段と、
前記ロック手段と前記電子カードの第２本体部の貫通孔との係合を解除するロック解除手段とを有する。このように構成された電子カード用ホルダケースは、貫通孔を用いて電子カードの収納、整理及び取扱いが容易なものとなる。
【００１２】
また、本発明の電子カード用ホルダケースは、電子カードの第２本体部に形成された少なくとも１つの穿孔可能な任意孔の開閉状態を検出することにより収納された電子カードの内容を認知することができるよう構成してもよい。このように構成された電子カード用ホルダケースは、任意孔が適宜、穿孔されることにより格納されているデータ内容の識別、使用者の認証、及び書込み規制等を検知することが可能となる。
【００１３】
他の観点の発明の電子カード用駆動装置は、第１本体部と前記第１本体部より厚みが薄い第２本体部とを有して構成された電子カードが装着されてデータの記録又は再生を行う電子カード用駆動装置であって、
前記電子カードが挿入される開口を有する外観形状を有し、前記開口に挿入されて装着された電子カードの第２本体部に形成された貫通孔と係合する排出片と前記排出片に機構的に接続され電子カードの排出時に摺動させる排出つまみとを有する。このように構成された電子カード用駆動装置は、貫通孔を利用した簡単な機構で電子カードの装着及び排出が確実に行われる。
【００１４】
【発明の実施の形態】
以下、本発明の電子カード及び電子カードを用いた機器に係る好適な実施の形態について添付の図面を用いて説明する。
【００１５】
《実施の形態１》
図１は本発明に係る実施の形態１の電子カードを示す裏面図である。図２は図１の電子カードの縦断面図である。
図１は実施の形態１の電子カード１の裏面側を示しており、この裏面側が複数の電極１ｄを有する電極面となっている。電子カード１において、図１に示されていない表面側１ｆ（図２参照）は、表示面であり、ラベルが貼り付けられている。この表示面は全体が平面に形成されている。電子カード１の形状は、例えば縦３２ｍｍ×横２４ｍｍの矩形カード状であり、四隅の一角が斜めにカットされた形状である。
【００１６】
図２の断面図に示されているように、実施の形態１の電子カード１は厚みの厚い第１本体部１ａ（例えば、厚み２．１ｍｍ）と厚みの薄い第２本体部１ｂ（例えば、厚み０．８ｍｍ）とにより構成されている。したがって、電子カード１の裏面には段差１ｎが形成されている。
【００１７】
第１本体部１ａの内部には基板１ｅが配設されており、この基板１ｅには半導体メモリ１ｃが実装されている。また基板１ｅには複数の端子１ｄが設けられており、各端子１ｄは電子カード１の裏面側１ｇに露出している。第２本体部１ｂには、１つの貫通孔１ｈと複数の任意孔１ｊが形成されている。貫通孔１ｈは、後述するように、ホルダリング等を通して保管管理のために用いられる。複数の任意孔１ｊのそれぞれには、取り外し可能な蓋１ｋが一体的に設けられている。実施の形態１の電子カード１における任意孔１ｊは、各種の機能を有しており、蓋１ｋが外された任意孔１ｊの配列によって所有者の識別や、収納情報の識別を目視で行なうことが可能となっている。また、任意孔１ｊは、その１個が当該電子カード１への書込みを規制する検査位置に設けられており、その任意孔１ｊに蓋１ｋと同じ形状の蓋１ｐを設けその着脱により、当該電子カード１へのデータの書込みを禁止と書込む可を選択することが可能となる。
【００１８】
なお、上記のように蓋１ｐを任意孔１ｊに貼り付ける構成ではなく、その任意孔１ｊを第２本体部１ｂと一体的に凹部形状に形成して、書込を禁止するとき穿孔する構成とすれば、その穿孔により書き込みを永久に禁止することが可能となる。
図１に示すように、第２本体部１ｂの外周には基板１ｅに接続され回路の一部となる導体である導線１ｍが配設されている。したがって、導線１ｍは貫通孔１ｈ及び全ての任意孔１ｊを取り囲むよう構成されている。すなわち、導線１ｍは、貫通孔１ｈ及び全ての任意孔１ｊと、第２本体部１ｂの縁との間に配設されている。
【００１９】
以上のように構成された実施の形態１の電子カードについて、以下その具体的な利用方法について説明する。
図３は上記のように構成された実施の形態１の複数の電子カード１をホルダリング２により保持している状態を示す図である。図３に示すように、複数の電子カード１はそれぞれの貫通孔１ｈがホルダリング２により貫通されて一纏めにされた状態で保持管理されている。このように、小型の複数の電子カード１をホルダリング２により纏めることにより、電子カード１の紛失防止、持ち運びの利便性及び保持管理の容易性を提供することが可能となる。
【００２０】
図４は実施の形態１の電子カード１の貫通孔１ｈを錠前３のリング部３ａに貫通して施錠した状態を示す図である。このように錠前３を用いることにより電子カード１を施錠することが可能となり、重要な電子カード１の使用を容易に制限することが可能となる。もし、図４に示した施錠された電子カード１がリング部３ａから引きちぎられた場合には、第２本体部１ｂに配設された導線１ｍが切断されることになるため、その電子カード１の回路が破壊されて使用が不可能となる。
【００２１】
図５及び図６は実施の形態１の電子カード１をその電子カード専用のホルダケース４に収納した状態を示す図である。図５及び図６に示すように、ホルダケース４には、本体部４ｘとこの本体部４ｘに回動可能に接続され、本体部４ｘの上部を開閉する蓋部４ｙが設けられている。このホルダケース４の本体部４ｘには複数の電子カード１の各第２本体部１ｂが挿入される複数の溝４ａが形成されている。これらの溝４ａには、収納された電子カード１の第２本体部１ｂにおける貫通孔１ｈと対向する位置にロック手段であるロックピン４ｂが設けられている。各ロックピン４ｂは、溝４ａ内への突出及びホルダケース４内への収納が可能に構成されている。したがって、電子カード１をホルダケース４の溝４ａに収納してロックピン４ｂを溝４ａ内に突出させることにより、ロックピン４ｂが電子カード１の貫通孔１ｈを貫通して、その電子カード１はホルダケース４内に保持される。
【００２２】
図６に示したホルダケース４にはロック解除手段である個人認証手段４ｄ、例えば指紋センサ、暗証番号入力器等が設けられており、この個人認証手段４ｄにより認証動作を行い、且つ認証操作を行うことによりロックピン４ｂがホルダケース４内に収納され、ホルダケース４内の電子カード１を取り出すことが可能となる。
図６に示したホルダーケース４には表示部４ｅが設けられている。表示部４ｅには、複数の任意孔１ｊの穿孔の配列を自動的に検知して、所有者の名前と収納されている電子カード１のデータ名等を表示するよう構成されている。
【００２３】
図７は実施の形態１の電子カード１を記録再生する電子カード駆動装置である半導体プレーヤ５を示す断面図である。図７においては、本発明における主要な構成要素以外は省略している。図７において、半導体プレーヤ５は電子カード１を収納した状態である。電子カード１は開口であるカードスロット５ａから挿入され、電子カード１の端子がフレーム５ｂ内にある基板上の端子５ｆに電気的に接続されている。このとき、電子カード１の貫通孔１ｈには半導体プレーヤ５の排出機構の排出片５ｃが係合している。排出片５ｃは排出つまみ５ｄに板バネを介して接続されており、電子カード１がカードスロット５ａ内に収納されつつあるとき排出片５ｃが電子カード１の表面を摺動するよう構成されている。排出機構の排出つまみ５ｄは、半導体プレーヤ５の筐体外面から突出して摺動するよう構成されている。これにより、電子カード１を半導体プレーヤ５から排出するとき、排出つまみ５ｄを排出方向（図７における右方向）に移動させることにより、排出片５ｃが電子カード１の貫通孔１ｈと係合した状態で移動して、電子カード１は確実に排出される。
【００２４】
以上のように構成された実施の形態１の電子カードの排出機構によれば、従来の装置において用いていた、電子カードの外観形状を利用して排出する機構に比べて、排出機構の簡易化を図ることができると共に、装置の薄型化を容易に達成することが可能となる。また、電子カード１を収納するフレーム５ｂの構成を変更することなく排出機構の排出つまみ５ｄの配設位置をカードスロット５ａの排出口近傍に設けることができる。
【００２５】
上記のように本発明の電子カードをホルダケース２や錠前３を用いて保持管理している場合には、もし所有者以外の者がこの電子カードを無理に抜き取ろうとして故意に引きちぎったとき、貫通孔１ｈの周囲が破損し、その貫通孔１ｈの周辺の導線１ｍも確実に切断される。この導線１ｍは電子カードの基板上の電気回路に接続されているため、導線１ｍの切断により電子カードの一部又は全部の機能が停止するよう構成することが可能である。
【００２６】
また、本発明の電子カードにおいては、第２本体部１ｂに複数の任意孔１ｊが形成されており、その１個が電子カードへの書込を規制する検出位置とすることが可能であり、その任意孔１ｊに蓋１ｐを着脱することによりその電子カードへの情報の書込み規制を制御することが可能となる。
なお、任意孔１ｊに蓋１ｐを着脱する構成ではなく、その任意孔１ｊを第２本体部１ｂと一体的に成形された凹形状として、書込を禁止するとき穿孔する構成とすれば、その穿孔により当該電子カードに対する書き込みは永久に禁止される。
【００２７】
また、本発明の電子カードには、複数の任意孔１ｊが設けられているため、それらの任意孔１ｊの穿孔の配列によって所有者の識別や、格納されたデータの識別を目視で行なうことが可能となる。また、同様にホルダケース４において、収納された電子カードの任意孔１ｊの穿孔配列を自動的に検出して、ホルダケース４の表示器４ｅにその電子カードの所有者及び収納情報等を表示させることが可能である。
さらに、第２本体部１ｂの任意孔１ｊを一体的に成形された凹形状に構成した場合には、任意孔１ｊの配列を固定化し改変されるおそれをなくすことが可能となる。
【００２８】
【発明の効果】
以上、実施の形態について詳細に説明したところから明らかなように、本発明は次の効果を有する。
本発明によれば、電子機器の小型化及び薄型化に対応しながら利便性及び安全性が高く、用途の拡張にも対応することができる電子カードを提供することができる。
本発明の電子カードにおいては、データが格納される第１本体部とこの第１本体部より薄い第２本体部とにより構成されており、第２本体部に貫通孔及び任意孔を形成して、紛失及び盗難の防止、個人認証及び格納データ内容の識別を確実に行うことが可能となる。
【００２９】
また、本発明によれば、電子カードを記録再生するための装置における排出機構の小型化を達成し、装置の取り扱いを容易なものとすることが可能となる。
さらに、本発明によれば、電子カードを高機能化することができると共に、電子カードへの書込み規制、盗難時のカード機能停止等の多くのカード保管管理の手段を提供することが可能となり、電子カードの用途の拡大を図ることができるという優れた効果が得られる。
本発明の電子カード用ホルダケースは、電子カードの貫通孔及び任意孔を用いて電子カードの収納、整理及び取扱いを容易なものとすることができる。
本発明の電子カード用半導体装置は、電子カードの貫通孔を利用した簡単な機構で電子カードの装着及び排出を確実に行うことが可能となる。
【図面の簡単な説明】
【図１】本発明の実施の形態１の電子カードの裏面図である。
【図２】図１の電子カードの断面図である。
【図３】本発明の実施の形態１の電子カードをホルダリングにより保持した状態を示す側面図である。
【図４】本発明の実施の形態１の電子カードを錠前により保持した状態を示す側面図である。
【図５】本発明の実施の形態１の電子カードをホルダケースにより収納保持した状態を示す図である。
【図６】本発明の実施の形態１の電子カードをホルダケースにより収納保持した状態を示す断面図である。
【図７】本発明の実施の形態１の電子カードを半導体プレーヤに装着した状態を示す断面図である。
【図８】従来の電子カードの正面図（ａ）、裏面図（ｂ）及び右側面図（ｃ）である。
【符号の説明】
１    電子カード
１ａ  第１本体部
１ｂ  第２本体部
１ｃ  半導体メモリ
１ｄ  端子
１ｅ  基板
１ｆ  表面側
１ｇ  裏面側
１ｈ  貫通孔
１ｊ  任意孔
１ｋ  蓋
１ｍ  導線
１ｐ  蓋
２    ホルダリング
３    錠前
４    ホルダケース
４ａ  溝
４ｂ  ロックピン
５    半導体プレーヤ
５ａ  カードスロット
５ｂ  フレーム
５ｃ  排出片
５ｄ  排出つまみ
【図１】
2004310685.tif 000003
【図２】
2004310685.tif 000004
【図３】
2004310685.tif 000005
【図４】
2004310685.tif 000006
【図５】
2004310685.tif 000007
【図６】
2004310685.tif 000008
【図７】
2004310685.tif 000009
【図８】
2004310685.tif 000010